(57)【要約】【課題】機械で自動的に巻回することが可能で互いに別個独立した出力を有する複数の２次巻線間の絶縁が確実に確保されたトランスの提供。【解決手段】ボビンは、絶縁樹脂により構成され略筒形状をなしその軸方向両端に端子台が設けられた内方筒状部と、絶縁樹脂により構成され内方筒状部を外装する外方筒状部３１とを備えている。外方筒状部３１は、内方筒状部の内方実装基板対向面及び反内方実装基板対向面に平行をなし隣接する各セクションを略互いに結ぶ方向に延出する分割面３１−１Ａ、３１−２Ａで切ったような半割り形状をなしている。分割面３１−１Ａ、３１−２Ａは、矩形波形状、より具体的にはジグザグ状をなしており、各仕切壁の位置で階段状になるように構成されている。【選択図】図４
2010238842.tif 000002
【特許請求の範囲】
【請求項１】
１次巻線と互いに別個独立した出力を有する複数の２次巻線とを有する導線と、
絶縁材料からなり該導線が巻回された略円筒形状部と該略円筒形状部の軸方向端部に設けられ複数の金属端子が設けられた端子台とを有するボビンと、
該略円筒形状部の内周面により画成される空間に挿入されるコアとを備え、
該略円筒形状部は、周面に該１次巻線が巻回された内方筒状部と、該内方筒状部と同軸的に配置され該内方筒状部の半径方向外方において該内方筒状部を外装し周面に該２次巻線が該１次巻線と同軸的に巻回された外方筒状部とを有し、該内方筒状部の軸方向端部には該端子台が該内方筒状部と一体で設けられ、
該外方筒状部の周面には、該外方筒状部の周方向に沿って全周に渡り仕切板が立設され、該外方筒状部の周面は、該仕切板により該外方筒状部の軸方向において複数のセクションに仕切られ、各該セクションに該２次巻線が１本ずつ巻回され、
該外方筒状部は、隣接する該セクションを略互いに結ぶ方向に延出する分割面で分割されてなる複数の外方筒状分割部からなり、該分割面は矩形波状をなして該外方筒状分割部同士が該分割面において噛合っていることを特徴とするトランス。
【請求項２】
該端子台は該内方筒状部にのみ設けられ、全ての該導線の一端又は他端は該端子台の該複数の金属端子にそれぞれ電気的に接続されていることを特徴とする請求項１記載のトランス。
【請求項３】
該２次巻線は該外方筒状部の周方向における該外方筒状部の周面上の所定位置において該端子台の方向へ引出され、
該外方筒状部の半径方向における該仕切板の突出高さの最大値は該所定位置において最も大きく、該所定位置における該仕切板の部分には、該２次巻線をそれぞれ該端子台の方向へ引出すための切欠きが該外方筒状部の半径方向内方へ向けて形成され、複数の該２次巻線は該切欠き内で該外方筒状部の半径方向において異なる位置関係をなして引出されていることを特徴とする請求項１又は請求項２記載のトランス。
【請求項４】
該２次巻線には、該外方筒状部の軸方向において該１次巻線が第２仕切板を介して対向配置されていることを特徴とする請求項１乃至請求項３記載のトランス。
【発明の詳細な説明】
【技術分野】
【０００１】
本発明はトランスに関し、特に１次巻線と、互いに別個独立した出力を有する複数の２次巻線とが同軸的に巻回されるトランスに関する。
【背景技術】
【０００２】
互いに別個独立した出力を有する複数の２次巻線を有するトランスが従来より知られている。ボビンに１次巻線が巻回され、その全周に渡り絶縁シートが配置されて１次巻線が覆われ、その上から２次巻線が巻回されている。このように、巻線が巻回された後に絶縁シートが配置されることが繰り返されて、１次巻線、２次巻線が積層された状態で同軸的に巻回されている。このようなトランスは、例えば、特開２００７−５９５０７号公報に記載されている。
【先行技術文献】
【特許文献】
【０００３】
【特許文献１】特開２００７−５９５０７号公報
【発明の概要】
【発明が解決しようとする課題】
【０００４】
しかし、上述した従来のトランスでは、２次巻線の出力は１つではなく、互いに別個独立した出力を有する複数の２次巻線を有しており、１次巻線、２次巻線の間に絶縁シートを配置させてゆくトランスの製造作業においては工数が非常に多くなり、機械で自動的に巻回することは困難である。また、互いに別個独立した出力を有する複数の２次巻線間の絶縁を確実にする必要もある。
【０００５】
そこで本発明は、機械で自動的に巻回することが可能で互いに別個独立した出力を有する複数の２次巻線間の絶縁が確実に確保されたトランスを提供することを目的とする。
【課題を解決するための手段】
【０００６】
上記目的を達成するために、本発明は、１次巻線と互いに別個独立した出力を有する複数の２次巻線とを有する導線と、絶縁材料からなり該導線が巻回された略円筒形状部と該略円筒形状部の軸方向端部に設けられ複数の金属端子が設けられた端子台とを有するボビンと、該略円筒形状部の内周面により画成される空間に挿入されるコアとを備え、該略円筒形状部は、周面に該１次巻線が巻回された内方筒状部と、該内方筒状部と同軸的に配置され該内方筒状部の半径方向外方において該内方筒状部を外装し周面に該２次巻線が該１次巻線と同軸的に巻回された外方筒状部とを有し、該内方筒状部の軸方向端部には該端子台が該内方筒状部と一体で設けられ、該外方筒状部の周面には、該外方筒状部の周方向に沿って全周に渡り仕切板が立設され、該外方筒状部の周面は、該仕切板により該外方筒状部の軸方向において複数のセクションに仕切られ、各該セクションに該２次巻線が１本ずつ巻回され、該外方筒状部は、隣接する該セクションを略互いに結ぶ方向に延出する分割面で分割されてなる複数の外方筒状分割部からなり、該分割面は矩形波状をなして該外方筒状分割部同士が該分割面において噛合っているトランスを提供している。
【０００７】
略円筒形状部は、周面に１次巻線が巻回された内方筒状部と、内方筒状部と同軸的に配置され内方筒状部の半径方向外方において内方筒状部を外装し周面に２次巻線が１次巻線と同軸的に巻回された外方筒状部とを有するため、二重のボビン構造とすることができ、磁気結合を高くすることができる。
【０００８】
また、内方筒状部の軸方向端部には端子台が内方筒状部と一体で設けられ、外方筒状部の周面には、外方筒状部の周方向に沿って全周に渡り仕切板が立設され、外方筒状部の周面は、仕切板により外方筒状部の軸方向において複数のセクションに仕切られ、各セクションに２次巻線が１本ずつ巻回され、外方筒状部は、隣接するセクションを略互いに結ぶ方向に延出する分割面で分割されてなる複数の外方筒状分割部からなり、分割面は矩形波状をなして外方筒状分割部同士が分割面において噛合っているため、仕切板の厚みよりも長い沿面距離とすることができ、仕切板を厚くせずに所望の沿面距離を確保することができる。また、トランスの製造に際して内方筒状部に巻回された導線と外方筒状部に巻回された導線とを絶縁するための絶縁シートを用いずに済み、また、仕切板により複数のセクションに仕切られているため、略円筒形状部への導線の自動巻きを可能とすることができる。
【０００９】
ここで、該端子台は該内方筒状部にのみ設けられ、全ての該導線の一端又は他端は該端子台の該複数の金属端子にそれぞれ電気的に接続されていることが好ましい。端子台は内方筒状部にのみ設けられ、全ての導線の一端又は他端は端子台の複数の金属端子にそれぞれ電気的に接続されているため、導線を自動的に略円筒形状部に巻回するための巻線機の一部を、略円筒形状部の内周面により画成される空間に挿入してボビンを保持した状態を維持したまま、１次巻線を巻回し、外方筒状部を装着し、２次巻線を巻回することができる。このため、巻線機へのボビンの取り付け作業を１度で済ますことができる。
【００１０】
また、該２次巻線は該外方筒状部の周方向における該外方筒状部の周面上の所定位置において該端子台の方向へ引出され、該外方筒状部の半径方向における該仕切板の突出高さの最大値は該所定位置において最も大きく、該所定位置における該仕切板の部分には、該２次巻線をそれぞれ該端子台の方向へ引出すための切欠きが該外方筒状部の半径方向内方へ向けて形成され、複数の該２次巻線は該切欠き内で該外方筒状部の半径方向において異なる位置関係をなして引出されていることが好ましい。
【００１１】
２次巻線は外方筒状部の周方向における外方筒状部の周面上の所定位置において端子台の方向へ引出され、外方筒状部の半径方向における仕切板の突出高さの最大値は所定位置において最も大きく、所定位置における仕切板の部分には、２次巻線をそれぞれ端子台の方向へ引出すための切欠きが外方筒状部の半径方向内方へ向けて形成され、複数の２次巻線は切欠き内で外方筒状部の半径方向において異なる位置関係をなして引出されているため、各導線の引出し部分同士の絶縁距離を確保することができる。
【００１２】
また、該２次巻線には、該外方筒状部の軸方向において該１次巻線が第２仕切板を介して対向配置されていることが好ましい。２次巻線には、外方筒状部の軸方向において１次巻線が第２仕切板を介して対向配置されているため、１次巻線と２次巻線との磁気結合を高めることができる。
【発明の効果】
【００１３】
以上により本発明は、機械で自動的に巻回することが可能で互いに別個独立した出力を有する複数の２次巻線間の絶縁が確実に確保されたトランスを提供することができる。
【図面の簡単な説明】
【００１４】
【図１】本発明の実施の形態によるトランスを示す上方斜視図。
【図２】本発明の実施の形態によるトランスを示す下方斜視図。
【図３（ａ）】本発明の実施の形態によるトランスの内方筒状部及び端子台を示す下方斜視図。
【図３（ｂ）】本発明の実施の形態によるトランスの内方筒状部及び端子台を示す上方斜視図。
【図４】本発明の実施の形態によるトランスの外方筒状部を示す分解斜視図。
【図５】本発明の実施の形態によるトランスの外方筒状部を示す分解側面図。
【図６】本発明の実施の形態によるトランスの外方筒状部の基板側外方筒状分割部を示す斜視図。
【図７】本発明の実施の形態によるトランスの内方筒状部に導線を巻回した様子を示す底面図。
【図８】本発明の実施の形態によるトランスの外方筒状部に導線を巻回した様子を示す底面図。
【図９】本発明の実施の形態によるトランスの外方筒状部に絶縁テープを巻回した後に導線を巻回した様子を示す底面図。
【図１０】本発明の実施の形態によるトランスを示す回路図。
【図１１】本発明の実施の形態によるトランスの製造工程においてトランスの内方筒状部に導線を巻回した様子を示す下方斜視図。
【図１２】本発明の実施の形態によるトランスの製造工程において導線を巻回したトランスの内方筒状部に外方筒状部を装着している様子を示す上方斜視図。
【図１３】本発明の実施の形態によるトランスの製造工程においてトランスの外方筒状部に導線を巻回した様子を示す下方斜視図。
【図１４】本発明の実施の形態によるトランスの製造工程においてトランスの外方筒状部に導線を巻回した様子を示す上方斜視図。
【図１５】本発明の実施の形態によるトランスの製造工程においてトランスの外方筒状部に絶縁テープを巻回した後に導線を巻回した様子を示す下方斜視図。
【図１６】本発明の実施の形態によるトランスの製造工程において細線により金属端子の先端部と導線の一端部とを束ねるようにして巻き上げた様子を示す下方斜視図。
【図１７】本発明の実施の形態によるトランスの製造工程において金属端子をハンダ槽に沈めてハンダ付を行った様子を示す下方斜視図。
【図１８】本発明の実施の形態によるトランスの製造工程においてボビンにコアを装着した様子を示す上方斜視図。
【図１９】本発明の実施の形態によるトランスの製造工程においてボビンにカバーを装着した様子を示す上方斜視図。
【図２０】本発明の実施の形態によるトランスの製造工程においてボビンにカバーを装着した様子を示す下方斜視図。
【図２１】本発明の実施の形態によるトランスの変形例の内方筒状部、端子台、及び外方筒状部を示す上方斜視図。
【発明を実施するための形態】
【００１５】
本発明の実施の形態によるトランスについて図１乃至図１０に基づき説明する。図１に示されるようにトランス１は、ハイブリッド車のインバータ用ＩＧＢＴモジュールに用いられるトランスであり、コア１０と、ボビン２０と、導線５０（図７等）と、ケース９１、９２とを備えている。
【００１６】
コア１０は一対設けられており、それぞれ、底壁部１０Ａと、当該底壁部１０Ａの一端と他端とからそれぞれ底壁部１０Ａから離間する方向へ延出する一対の側壁部１０Ｂと、底壁部１０Ａから離間する方向へ当該底壁部１０Ａの中央部から延出する図示せぬ中央壁部とを有し、全体として略Ｅ字形状をなしている。一方のコア１０の一対の側壁部１０Ｂ及び図示せぬ中央壁部の延出端は、それぞれ他方のコア１０の側壁部１０Ｂ及び図示せぬ中央壁部の延出端と面で当接した状態となっており、当該当接し合う面に関して面対称な位置関係で対向配置されている。
【００１７】
ボビン２０は、図３（ａ）又は図３（ｂ）に示されるような、絶縁樹脂により構成され略筒形状をなしその軸方向両端に端子台４０が設けられた内方筒状部２１と、図４〜図６に示されるような、絶縁樹脂により構成され内方筒状部２１を外装する外方筒状部３１とを備えている。内方筒状部２１及び外方筒状部３１は略円筒形状部に相当する。
【００１８】
内方筒状部２１は、当該内方筒状部２１の軸方向に垂直な面で切った断面形状が、一対の平行な直線状をなす部分と、当該一対の平行な直線状をなす部分の一端同士、他端同士をそれぞれ接続する一対の略円弧状の部分とを有する長円形状の筒状をなしており、内方筒状部２１の内周面により画成される空間２１ａにはコア１０の図示せぬ中央壁部が挿入される。当該一対の平行をなす部分の一方は、図示せぬ実装基板の表面に平行をなしており、後述の外方筒状部３１の外方実装基板対向面３１Ａを介して実装基板に対向する内方実装基板対向面２１Ａ（図３（ａ））をなし、当該一対の平行をなす部分の他方は反内方実装基板対向面２１Ｂ（図３（ｂ））をなす。
【００１９】
内方筒状部２１の周面には内方仕切壁２２Ａ〜２２Ｆが設けられている。内方仕切壁２２Ａ〜２２Ｆは、図３（ａ）に示されるように、内方筒状部２１の周面の周方向に沿って全周に渡り板状をなして６枚立設されており、内方仕切壁２２Ａ〜２２Ｆにより内方筒状部２１の周面は、内方筒状部２１の軸方向において５つのセクションに仕切られている。図３において、各セクションを図の左側から右側へ向かって第１セクション２１ｂ、第２セクション２１ｃ、・・・、第５セクション２１ｆとする。各セクションには後述の導線５０が１本ずつ巻回されている。
【００２０】
内方実装基板対向面２１Ａ上に位置している６枚の仕切壁のうちの、内方筒状部２１の軸方向における一端側から数えて５枚目までの内方仕切壁２２Ａ〜２２Ｅの部分には、第１内側引出し切欠き２２Ａａ〜２２Ｅａが内方筒状部２１の半径方向内方へ向けてそれぞれ形成されている。第１内側引出し切欠き２２Ａａ〜２２Ｅａは、内方筒状部２１の周方向における内方仕切壁２２Ａ〜２２Ｅの中央位置から周方向へ所定の位置に至るまで形成されている。また、内方実装基板対向面２１Ａ上に位置している内方筒状部２１の軸方向における一端側から数えて４枚目までの内方仕切壁２２Ａ〜２２Ｄの部分には、第２内側引出し切欠き２２Ａｂ〜２２Ｄｂが内方筒状部２１の半径方向内方へ向けて形成されている。第２内側引出し切欠き２２Ａｂ〜２２Ｄｂは、内方筒状部２１の周方向における第１内側引出し切欠き２２Ａａ〜２２Ｄａが形成されている位置から更に周方向へ所定の距離だけ向かった位置に形成されている。全ての第１内側引出し切欠き２２Ａａ〜２２Ｅａ及び全ての第２内側引出し切欠き２２Ａｂ〜２２Ｄｂの、内方筒状部２１の半径方向内方へ向かう方向における深さは全て同一である。
【００２１】
内方筒状部２１の軸方向における一端及び他端には、端子台４０が一体でそれぞれ設けられている。端子台４０は、内方筒状部２１と同一の絶縁樹脂により構成され内方筒状部２１の一端及び他端に設けられた内方仕切壁２２Ａ、２２Ｆに一体接続されたフランジ状部４１、４１を有しており、フランジ状部４１の内方実装基板対向面２１Ａ側の部分は、内方実装基板対向面２１Ａ上の内方仕切壁２２Ａ〜２２Ｆの突出端よりも内方筒状部２１の半径方向外方へ突出しておらず、フランジ状部４１の内方実装基板対向面２１Ａ側は内方実装基板対向面２１Ａに平行な平坦面たる基板側面４１Ａをなしている。
【００２２】
また端子台４０は、フランジ状部４１の当該突出していない部分に主として接続されており、それぞれ内方筒状部２１と同一の絶縁樹脂により構成された端子支持部４２を有している。端子支持部４２は、それぞれ内方筒状部２１の軸方向に垂直の方向であって内方実装基板対向面２１Ａに平行に延出しており、その中央部分がフランジ状部４１に一体接続されている。ここで端子支持部４２において、内方実装基板対向面２１Ａと反内方実装基板対向面２１Ｂとを結ぶ方向においてより反内方実装基板対向面２１Ｂに近い側を反実装面側とし、内方実装基板対向面２１Ａに近い側を実装面側とする。
【００２３】
端子支持部４２の反実装面側の部分にはコア支持部２３が設けられている。図３（ｂ）に示されるようにコア支持部２３は、内方実装基板対向面２１Ａから反内方実装基板対向面２１Ｂへと向かう方向へ当該反実装面側の端子支持部４２の表面から延出する第１延出部２３Ａと、当該第１延出部２３Ａの延出端から内方実装基板対向面２１Ａ及び反内方実装基板対向面２１Ｂに平行に延出してその延出した中央部分が内方筒状部２１の一端、他端であって反内方実装基板対向面２１Ｂの部分に接続された反実装面平行部２３Ｂと、反実装面平行部２３Ｂの延出端から更に端子支持部４２の反実装面側の表面へと延出して当該表面において接続された第２延出部２３Ｃとを有し、全体として略コの字形状をなしている。
【００２４】
コア支持部２３の第１延出部２３Ａと反実装面平行部２３Ｂとフランジ状部４１と端子支持部４２とで画成された空間２３ａには、コア１０の一方の側壁部１０Ｂが挿入される。コア支持部２３の第２延出部２３Ｃと反実装面平行部２３Ｂとフランジ状部４１と端子支持部４２とで画成された空間２３ｂには、コア１０の他方の側壁部１０Ｂが挿入されるように構成されている。
【００２５】
端子支持部４２の実装面側には金属端子たる端子金具２４が設けられている。端子金具２４は計２０個設けられており、内方筒状部２１の軸方向における一端側に設けられた端子台４０−１の端子支持部４２において端子支持部４２の延出方向に１２個固定され、そのうち６個ずつが当該端子支持部４２の延出方向に所定の等間隔で固定されている。一方の６個の端子金具２４群と、他方の６個の端子金具２４群との間は、当該所定の等間隔よりも広い間隔で配置されている。
【００２６】
また、端子金具２４は、内方筒状部２１の軸方向における他端側に設けられた端子台４０−２の端子支持部４２において端子支持部４２の延出方向に２本ずつ所定の間隔を隔てて計８個固定されており、これら２個ずつ並べられた端子金具２４間は広い間隔を隔ててそれぞれ配置され固定されている。これらの端子金具２４は、後述のように略Ｌ字状をなした板状の金属片がフォーミングされることにより略コの字とされており、略コの字をなす端子金具２４を互いに平行をなす第１側壁２４−Ａ（図３（ｂ））と第２側壁２４−Ｂとこれらの一端を互いに連結する図示せぬ底壁とからなると考えた場合の底壁の全体と、当該底壁に接続されている第１側壁２４−Ａ、第２側壁２４−Ｂの一端部とが、図３（ｂ）に示されるように端子支持部４２を構成する絶縁樹脂中に保持されることにより、端子金具２４は端子支持部４２により支持固定されている。第１側壁２４−Ａは反実装面側に配置され第１側壁２４−Ａには後述の導線５０の一端部又は他端部が電気的に接続され、第２側壁２４−Ｂは実装面に平行な位置関係をなし、実装面上の導電パターンに電気的に接続される。端子支持部４２の実装面側であってこれらの端子金具２４間の位置には、端子台切欠き４２ａ〜４２ｒが実装面側から反実装面側へと向かう方向へ形成されている。
【００２７】
内方筒状部２１の軸方向における他端側の端子台４２−２に設けられた端子支持部４２の８個の端子金具２４について、図７に示されるように、図の上側から下側へ向かって第１端子２４Ａ、第２端子２４Ｂ、・・・第８端子２４Ｈとする。また、内方筒状部２１の軸方向における一端側の端子台４２−１に設けられた端子支持部４２の１２個の端子金具２４について、図７に示されるように、図の下側から上側へ向かって第９端子２４Ｉ、第１０端子２４Ｊ、・・・第２０端子２４Ｔとする。第１端子２４Ａ、第２端子２４Ｂ、・・・、第２０端子２４Ｔを支持する端子支持部４２の部分は、それぞれ実装面側へ突出する端子支持基部４２Ａ、４２Ｂ、・・・、４２Ｔをなしている。
【００２８】
また、図３（ａ）に示される図の右側の端子支持部４２に形成された端子台切欠きについて、図３に示されるように、図の上側から下側へ向かって第１端子台切欠き４２ａ、第２端子台切欠き４２ｂ、・・・、第７端子台切欠き４２ｇとする。また、図３（ｂ）に示される図の左側の端子支持部４２に形成された端子台切欠きについて、図３に示されるように、図の下側から上側へ向かって第８端子台切欠き４２ｈ、第９端子台切欠き４２ｉ、・・・、第１８端子台切欠き４２ｒとする。
【００２９】
また、フランジ状部４１の基板側面４１Ａ、端子金具２４が固定されている端子支持部４２の端子支持基部４２Ａ〜４２Ｔには、フランジ状部４１、端子支持部４２と同一の絶縁樹脂により構成されそれぞれ図示せぬ実装面の方向へ延出する導線掛け柱部４４Ａ〜４４Ｖが一体で設けられている。導線掛け柱部４４Ａ〜４４Ｖは、図３（ａ）に示されるように、内方筒状部２１の軸方向における一端側に設けられた端子台４０−１の端子支持部４２においては、フランジ状部４１の基板側面４１Ａに５本設けられ、端子金具２４が固定されている端子支持部４２の部分近傍の実装面側の部分に１０本設けられている。また、図３（ａ）に示されるように、内方筒状部２１の軸方向における他端側の端子台４０−２に設けられた端子支持部４２においては、フランジ状部４１の基板側面４１Ａに３本設けられ、端子金具２４が固定されている端子支持部４２の部分近傍の実装面側の部分に４本設けられている。
【００３０】
内方筒状部２１の軸方向における他端側の端子台４０−２の端子支持部４２に設けられた導線掛け柱部ついて、図３（ａ）に示されるように、図の上側から下側へ向かって第１導線掛け柱部４４Ａ、第２導線掛け柱部４４Ｂ、・・・、第４導線掛け柱部４４Ｄ、及び、第５導線掛け柱部４４Ｅ、第６導線掛け柱部４４Ｆ、第７導線掛け柱部４４Ｇとする。また、内方筒状部２１の軸方向における一端側の端子台４０−１の端子支持部４２に設けられた導線掛け柱部ついて、図３に示されるように、図の下側から上側へ向かって第８導線掛け柱部４４Ｈ、第９導線掛け柱部４４Ｉ、・・・、第１７導線掛け柱部４４Ｑ、及び、第１８導線掛け柱部４４Ｒ、・・・、第２２導線掛け柱部４４Ｖとする。
【００３１】
第１導線掛け柱部４４Ａは第２端子２４Ｂの近傍に配置されており、第２導線掛け柱部４４Ｂは第４端子２４Ｄの近傍に配置されている。第３導線掛け柱部４４Ｃは第５端子２４Ｅの近傍に配置されており、第４導線掛け柱部４４Ｄは第７端子２４Ｇの近傍に配置されている。第５導線掛け柱部４４Ｅは、端子支持部４２の長手方向におけるフランジ状部４１の図３（ａ）の上側の端部に配置されている。第６導線掛け柱部４４Ｆは、内方筒状部２１の周方向における内方実装基板対向面２１Ａの中央位置に配置されている。第７導線掛け柱部４４Ｇは、端子支持部４２の長手方向におけるフランジ状部４１の図３（ａ）の下側の端部に配置されている。
【００３２】
第８導線掛け柱部４４Ｈは第１０端子２４Ｊの近傍に配置されており、第９導線掛け柱部４４Ｉは第１１端子２４Ｋの近傍に配置されている。第１０導線掛け柱部４４Ｊは第１２端子２４Ｌの近傍に配置されており、第１１導線掛け柱部４４Ｋは第１３端子２４Ｍの近傍に配置されている。第１２導線掛け柱部４４Ｌは第１４端子２４Ｎの近傍に配置されており、第１３導線掛け柱部４４Ｍは第１５端子２４Ｏの近傍に配置されている。第１４導線掛け柱部４４Ｎは第１６端子２４Ｐの近傍に配置されており、第１５導線掛け柱部４４Ｏは第１７端子２４Ｑの近傍に配置されている。第１６導線掛け柱部４４Ｐは第１８端子２４Ｒの近傍に配置されており、第１７導線掛け柱部４４Ｑは第１９端子２４Ｓの近傍に配置されている。
【００３３】
第１８導線掛け柱部４４Ｒは、端子台４４−１の端子支持部４２の長手方向におけるフランジ状部４１の図３（ａ）の下側の端部に配置されている。第１９導線掛け柱部４４Ｓ、第２０導線掛け柱部４４Ｔは、図３（ａ）に示される一番左側の内方仕切壁２１Ａの第１内側引出し切欠き２２Ａａの、内方筒状部２１の周方向における端部にそれぞれ配置されている。また、第２１導線掛け柱部４４Ｕは、図３（ａ）に示される一番左側の内方仕切壁２２Ａの第２内側引出し切欠き２２Ａｂの、内方筒状部２１の周方向における端部に配置されている。第２２導線掛け柱部４４Ｖは、端子支持部４２の長手方向におけるフランジ状部４１の図３（ａ）の上側の端部に配置されている。
【００３４】
図３（ａ）に示されるように、互いに対向する第５導線掛け柱部４４Ｅと第７導線掛け柱部４４Ｇとの対向面、第１８導線掛け柱部４４Ｒと第２２導線掛け柱部４４Ｖとの対向面には、後述のケース９１のフック９１Ａが係合可能なフック受け部４４Ｅ−Ａ、４４Ｇ−Ａ、４４Ｒ−Ａ、４４Ｖ−Ａが設けられている。
【００３５】
図４に示されるように外方筒状部３１は後述のように半割り形状をなしており、外方筒状部３１は内方筒状部２１よりも径が大きく内方筒状部２１に対して略相似形状をなす筒形状をなしている。従って、外方筒状部３１は、当該外方筒状部３１の軸方向に垂直な面で切った断面形状が、一対の平行な直線状をなす部分と、一対の平行な直線状をなす部分の一端同士、他端同士を接続する略円弧状の部分とを有する長円形状の筒状をなしており、外方筒状部３１の内周面により画成される空間には内方筒状部２１が配置される。当該一対の平行をなす部分の一方は、図示せぬ実装基板の表面に平行をなしており、実装基板に対向する外方実装基板対向面３１Ａをなし、当該一対の平行をなす部分の他方は反外方実装基板対向面３１Ｂをなす。外方実装基板対向面３１Ａは外方筒状部３１の周方向における外方筒状部３１の周面上の所定位置に相当する。
【００３６】
外方筒状部３１の周面には外方仕切壁３２Ａ〜３２Ｆが設けられている。外方仕切壁３２Ａ〜３２Ｆは、図４、図５に示されるように、外方筒状部３１の周面の周方向に沿って全周に渡り板状をなして６枚立設されており、外方筒状部３１の半径方向における外方仕切壁３２Ａ〜３２Ｆの突出高さは外方筒状部３１の周方向において一定ではなく、外方実装基板対向面３１Ａ上に位置している外方仕切壁３２Ａ〜３２Ｆの突出高さの最大値は最も大きく、外方筒状部３１の周方向に沿って反外方実装基板対向面３１Ｂ上へ近づくにつれて徐々に小さくなり、反外方実装基板対向面３１Ｂ上に位置している外方仕切壁３２Ａ〜３２Ｆの突出高さの最大値は最も小さい。外方仕切壁３２Ａ〜３２Ｆ、内方仕切壁２２Ａ〜２２Ｆは仕切板に相当する。
【００３７】
外方仕切壁３２Ａ〜３２Ｆにより外方筒状部３１の周面は、図５に示されるように、外方筒状部３１の軸方向において５つのセクションに仕切られている。各セクションには後述の導線が１本ずつ巻回されている。また、外方筒状部３１の軸方向の両端にはフランジ状に突出する外方フランジ部３５、３６がそれぞれ設けられており、外方フランジ部３５、３６が設けられている外方筒状部３１の軸方向の両端部は、外方実装基板対向面３１Ａ上に位置している６枚の仕切壁のうちの、外方筒状部３１の軸方向における一端側から数えて１枚目、６枚目の仕切壁と協働して、仕切壁間のセクションと同様のセクションを形成するフランジ部基部３５Ａ、３６Ａをなす。図６において各セクションを、図の左側から右側へ向かって第１セクション３１ｂ、第２セクション３１ｃ、・・・、第７セクション３１ｈとする。
【００３８】
外方実装基板対向面３１Ａ上に位置している外方フランジ部３５、３６のうちの、外方筒状部３１の軸方向における一端に設けられている外方フランジ部３５には、図６に示されるように、４つの一端側フランジ第１切欠き３５Ａａ、一端側フランジ第２切欠き３５Ａｂ、一端側フランジ第３切欠き３５Ａｃ、一端側フランジ第４切欠き３５Ａｄがそれぞれ間隔を隔てて形成されている。一端側フランジ第１切欠き３５Ａａは、外方筒状部３１の半径方向内方へ向かう深さが、当該一端側フランジ第１切欠き３５Ａａの底面と外方仕切壁３２Ａ〜３２Ｆの突出端と一致する程度である。
【００３９】
一端側フランジ第２切欠き３５Ａｂは、外方筒状部３１の半径方向内方へ向かう深さが最も深く、各セクションを画成する外方筒状部３１の周面に最も近い位置に至る。一端側フランジ第２切欠き３５Ａｂは外方フランジ部３５のみならず、外方フランジ部３５が接続されているフランジ部基部３５Ａの部分にまで形成されており、第１セクション３１ｂ（図５）に連通する。一端側フランジ第３切欠き３５Ａｃ、一端側フランジ第４切欠き３５Ａｄは、それぞれ外方筒状部３１の半径方向内方へ向かう深さが最も深く、各セクションの底面を規定する外方筒状部３１の周面に最も近い位置に至る。一端側フランジ第２切欠き３５Ａｂは外方フランジ部３５のみならず、外方フランジ部３５が接続されているフランジ部基部３５Ａの部分にまで形成され、第１セクション３１ｂ（図５）に連通するのであるが、フランジ部基部３５の部分において一端側フランジ第３切欠き３５Ａｃは浅くなり２番目に深い底部を有する。また、同様に一端側フランジ第３切欠き３５Ａｃは、フランジ部基部３５の部分において浅くなり３番目に深い底部を有する。
【００４０】
外方実装基板対向面３１Ａ上に位置している６枚の外方仕切壁３２Ａ〜３２Ｆのうちの、外方筒状部３１の軸方向における一端側から数えて１枚目の外方仕切壁３２Ａの部分には、第１外側引出し切欠き３２Ａａ、第２外側引出し切欠き３２Ａｂが外方筒状部３１の半径方向内方へ向けて形成されている。第１外側引出し切欠き３２Ａａは、外方筒状部３１の軸方向において、一端側フランジ第２切欠き３５Ａｂ及び一端側フランジ第３切欠き３５Ａｃに対向する位置に渡って形成されており、２番目に深い底部を有する。第２外側引出し切欠き３２Ａｂは、外方筒状部３１の軸方向において、一端側フランジ第４切欠き３５Ａｄに対向する位置に形成されており、３番目に深い底部を有する。
【００４１】
外方実装基板対向面３１Ａ上に位置している６枚の外方仕切壁３２Ａ〜３２Ｆのうちの、外方筒状部３１の軸方向における一端側から数えて２枚目の外方仕切壁３２Ｂの部分には、第３外側引出し切欠き３２Ｂａが外方筒状部３１の半径方向内方へ向けて形成されている。第３外側引出し切欠き３２Ｂａは、外方筒状部３１の軸方向において、一端側フランジ第３切欠き３５Ａｃ及び一端側フランジ第４切欠き３５Ａｄに対向する位置に渡って形成されており、３番目に深い底部を有する。
【００４２】
外方実装基板対向面３１Ａ上に位置している６枚の外方仕切壁３２Ａ〜３２Ｆのうちの、外方筒状部３１の軸方向における一端側から数えて３枚目の外方仕切壁３２Ｃの部分には、第４外側引出し切欠き３２Ｃａ、第５外側引出し切欠き３２Ｃｂが外方筒状部３１の半径方向内方へ向けて形成されている。第４外側引出し切欠き３２Ｃａは、外方筒状部３１の軸方向において、一端側フランジ第１切欠き３５Ａａの図６の上端部に対向する位置から図６の上方へ外方実装基板対向面３１Ａ（図４）に平行に延出して形成されており、３番目に深い底部を有する。第５外側引出し切欠き３２Ｃｂは、外方筒状部３１の軸方向において、一端側フランジ第４切欠き３５Ａｄの図６の下端部に対向する位置から図６の下方へ外方実装基板対向面３１Ａに平行に延出して形成されており、３番目に深い底部を有する。
【００４３】
外方実装基板対向面３１Ａ上に位置している６枚の外方仕切壁３２Ａ〜３２Ｆのうちの、外方筒状部３１の軸方向における一端側から数えて４枚目の外方仕切壁３２Ｄの部分には、第６外側引出し切欠き３２Ｄａ、第７外側引出し切欠き３２Ｄｂが外方筒状部３１の半径方向内方へ向けて形成されている。第６外側引出し切欠き３２Ｄａは、外方筒状部３１の軸方向において、一端側フランジ第１切欠き３５Ａａの図６の上端部に対向する位置に形成されており、３番目に深い底部を有する。第７外側引出し切欠き３２Ｄｂは、外方筒状部３１の軸方向において、一端側フランジ第１切欠き３５Ａａの図６の下端部に対向する位置から所定の長さで図６の下方へ延出して形成されており、３番目に深い底部を有する。
【００４４】
外方実装基板対向面３１Ａ上に位置している６枚の外方仕切壁３２Ａ〜３２Ｆのうちの、外方筒状部３１の軸方向における一端側から数えて５枚目の外方仕切壁３２Ｅの部分には、第８外側引出し切欠き３２Ｅａ、第９外側引出し切欠き３２Ｅｂ、第１０外側引出し切欠き３２Ｅｃが外方筒状部３１の半径方向内方へ向けて形成されている。第８外側引出し切欠き３２Ｅａは、外方筒状部３１の軸方向において、第６外側引出し切欠き３２Ｄａに対向する位置に形成されており、３番目に深い底部を有する。第９外側引出し切欠き３２Ｅｂは、外方筒状部３１の軸方向において、第７外側引出し切欠き３２Ｄｂの図６の下端部に対向する位置に形成されており、３番目に深い底部を有する。第１０外側引出し切欠き３２Ｅｃは、外方筒状部３１の軸方向において、一端側フランジ第２切欠き３５Ａｂの図６の下端縁から一端側フランジ第４切欠き３５Ａｄに対向する位置に渡って形成されており、３番目に深い底部を有する。
【００４５】
外方実装基板対向面３１Ａ上に位置している６枚の外方仕切壁３２Ａ〜３２Ｆのうちの、外方筒状部３１の軸方向における一端側から数えて６枚目の外方仕切壁３２Ｆの部分には、第１１外側引出し切欠き３２Ｆａ、第１２外側引出し切欠き３２Ｆｂ、第１３外側引出し切欠き３２Ｆｃが外方筒状部３１の半径方向内方へ向けて形成されている。第１１外側引出し切欠き３２Ｆａは、外方筒状部３１の軸方向において、第６外側引出し切欠き３２Ｄａに対向する位置に形成されており、３番目に深い底部を有する。第１２外側引出し切欠き３２Ｆｂは、外方筒状部３１の軸方向において、第９外側引出し切欠き３２Ｅｂに対向する位置から一端側フランジ第３切欠き３５Ａｃの図６の下端部に対向する位置に渡って形成されており、３番目に深い底部を有する。第１３外側引出し切欠き３２Ｆｃは、外方筒状部３１の軸方向において、一端側フランジ第４切欠き３５Ａｄに対向する位置に形成されており、３番目に深い底部を有する。
【００４６】
外方実装基板対向面３１Ａ上に位置している外方フランジ部３５、３６のうちの、外方筒状部３１の軸方向における他端に設けられている外方フランジ部３６には、４つの他端側フランジ第１切欠き３６Ａａ、他端側フランジ第２切欠き３６Ａｂ、他端側フランジ第３切欠き３６Ａｃ、他端側フランジ第４切欠き３６Ａｄがそれぞれ間隔を隔てて形成されている。他端側フランジ第１切欠き３６Ａａは、外方筒状部３１の軸方向において、第６外側引出し切欠き３２Ｄａに対向する位置に形成されており、１番深い底部を有する。他端側フランジ第１切欠き３６Ａａは外方フランジ部３６のみならず、外方フランジ部３６が接続されているフランジ部基部３６Ａの部分にまで形成され、第７セクション３１ｈ（図５）に連通するのであるが、フランジ部基部３６Ａの部分において他端側フランジ第１切欠き３６Ａａは浅くなり３番目に深い底部を有する。
【００４７】
他端側フランジ第２切欠き３６Ａｂは、外方筒状部３１の軸方向において、第９外側引出し切欠き３２Ｅｂに対向する位置に形成されており、１番深い底部を有する。他端側フランジ第２切欠き３６Ａｂは外方フランジ部３６のみならず、外方フランジ部３６が接続されているフランジ部基部３６Ａの部分にまで形成され、第７セクション３１ｈ（図５）に連通するのであるが、フランジ部基部３６Ａの部分において他端側フランジ第１切欠き３６Ａａは浅くなり３番目に深い底部を有する。
【００４８】
他端側フランジ第３切欠き３６Ａｃは、外方筒状部３１の軸方向において、第１０外側引出し切欠き３２Ｅｃの図６に示される上端部及び第１２外側引出し切欠き３２Ｆｂの図６に示される下端部に対向する位置に形成されており、１番深い底部を有する。他端側フランジ第３切欠き３６Ａｃは外方フランジ部３６のみならず、外方フランジ部３６が接続されているフランジ部基部３６Ａの部分にまで形成され、第７セクション３１ｈに連通する。
【００４９】
他端側フランジ第４切欠き３６Ａｄは、外方筒状部３１の軸方向において、第１３外側引出し切欠き３２Ｆｃに対向する位置に形成されており、１番に深い底部を有する。他端側フランジ第４切欠き３６Ａｄは外方フランジ部３６のみならず、外方フランジ部３６が接続されているフランジ部基部３６Ａの部分にまで形成され、第７セクション３１ｈ（図５）に連通するのであるが、フランジ部基部３６Ａの部分において他端側フランジ第１切欠き３６Ａａは浅くなり３番目に深い底部を有する。
【００５０】
上記外方筒状部３１は、内方筒状部２１の内方実装基板対向面２１Ａ及び反内方実装基板対向面２１Ｂに平行をなし隣接するセクション３１ｂ〜３１ｈを略互いに結ぶ方向に延出する分割面３１−１Ａ、３１−２Ａで切ったような半割り形状をなしており、半割りされた外方筒状部３１のそれぞれは、基板側外方筒状分割部３１−１、反基板側外方筒状分割部３１−２をなす。分割面３１−１Ａ、３１−２Ａはより詳細には、図４〜図６に示されるように、矩形波形状、より具体的にはジグザグ状をなしており、各仕切壁の位置で階段状になるように構成されている。従って、外方筒状分割部同士が分割面３１−１Ａ、３１−２Ａにおいて噛合った状態となっている。このため、各セクション３１ｂ〜３１ｈ間の沿面距離を仕切壁の厚さよりも長く確保することができ、外方仕切壁３２Ａ〜３２Ｆを厚くせずに所望の沿面距離を確保することができる。
【００５１】
後述の導線５０が巻回された外方筒状部３１には、絶縁テープ９３（図１５）が外方筒状部３１の周方向に巻回されている。更に、後述のように絶縁テープ９３の上に第四の１次巻線Ｎｐ４が巻回され、更にその上に絶縁テープ９４が巻回されている。
【００５２】
ケースは実装面側ケース９１と反実装面側ケース９２とからなり、それぞれ略長方形状をなしている。実装面側ケース９１、反実装面側ケース９２の４つの角部近傍位置には、それぞれフック９１Ａ、９２Ａがこれらの表面の法線方向へ延出して設けられており、フック９１Ａは前述の第５導線掛け柱部４４Ｅ、第７導線掛け柱部４４Ｇ、第１８導線掛け柱部４４Ｒ、第２２導線掛け柱部４４Ｖのフック受け部４４Ｅ−Ａ、４４Ｇ−Ａ、４４Ｒ−Ａ、４４Ｖ−Ａに係合可能である。フック９２Ａは反実装面平行部２３Ｂに係合可能である。反実装面側ケース９２には、図示せぬ自動機の吸着ノズルが吸着可能である。
【００５３】
導線５０はそれぞれ絶縁被覆された銅線からなり、第一の１次巻線Ｎｐ１と、第二の１次巻線Ｎｐ２と、第三の１次巻線Ｎｐ３と、第四の１次巻線Ｎｐ４と、ドライブ巻線Ｎｓ１、Ｎｓ１´と、第二の２次巻線Ｎｓ２と、第三の２次巻線Ｎｓ３と、第四の２次巻線Ｎｓ４と、第五の２次巻線Ｎｓ５と、第六の２次巻線Ｎｓ６と、第七の２次巻線Ｎｓ７と、第八の２次巻線Ｎｓ８とを有している。第一の１次巻線Ｎｐ１、第二の１次巻線Ｎｐ２、第三の１次巻線Ｎｐ３、第四の２次巻線Ｎｓ４は導線の直径がそれぞれ０．２ｍｍであり、その他は直径がそれぞれ０．１２ｍｍである。
【００５４】
図７、図１０に示されるように、第一の１次巻線Ｎｐ１は、内方筒状部２１の第３セクション２１ｄ（図３（ａ））に巻回されており、その一端が第１５端子２４Ｏに電気的に接続され、他端が第１７端子２４Ｑに電気的に接続されている。第二の１次巻線Ｎｐ２は内方筒状部２１の第１セクション２１ｂ（図３（ａ））に巻回されており、その一端が第１５端子２４Ｏに電気的に接続され、他端が第１６端子２４Ｐに電気的に接続されている。第三の１次巻線Ｎｐ３は内方筒状部２１の第５セクション２１ｆ（図３（ａ））に巻回されており、その一端が第１５端子２４Ｏに電気的に接続され、他端が第１６端子２４Ｐに電気的に接続されている。
【００５５】
ドライブ巻線Ｎｓ１は内方筒状部２１の第２セクション２１ｃ（図３（ａ））に巻回されており、その一端が第１７端子２４Ｑに電気的に接続され、他端が第２０端子２４Ｔに電気的に接続されている。ドライブ巻線Ｎｓ１´は内方筒状部２１の第４セクション２１ｅ（図３（ａ））に巻回されており、その一端が第１９端子２４Ｓに電気的に接続され、他端が第２０端子２４Ｔに電気的に接続されている。第四の１次巻線Ｎｓ４は、後述のように外方筒状部３１に導線５０が巻回された後に絶縁テープ９３が巻回され、当該絶縁テープ９３上に巻回されており、その一端が第１５端子２４Ｏに電気的に接続され、他端が第１７端子２４Ｑに電気的に接続されている。
【００５６】
図８、図１０に示されるように、第二の２次巻線Ｎｓ２は外方筒状部３１の第３セクション３１ｄ（図５）に巻回されており、当該巻回された部分から一端側が引出され、外方筒状部３１の軸方向における一端側から数えて２枚目の外方仕切壁３２Ｂの第３外側引出し切欠き３２Ｂａ（図６）と、１枚目の外方仕切壁３２Ａの第２外側引出し切欠き３２Ａｂと、外方フランジ部３５の一端側フランジ第４切欠き３５Ａｄとを通り、第１８導線掛け柱部４４Ｒに掛けられ、第８導線掛け柱部４４Ｈに掛けられ、第９端子２４Ｉを支持する端子支持基部４２Ｉの側面に掛けられ、その一端が第９端子２４Ｉに電気的に接続されている。また、当該巻回された部分から他端側が引出され、外方筒状部３１の軸方向における一端側から数えて２枚目の外方仕切壁３２Ｂの第３外側引出し切欠き３２Ｂａと、１枚目の外方仕切壁３２Ａの第２外側引出し切欠き３２Ａｂと、外方フランジ部３６の一端側フランジ第４切欠き３５Ａｄとを通り、第１８導線掛け柱部４４Ｒに掛けられ、第９導線掛け柱部４４Ｉに掛けられ、第１０端子２４Ｊを支持する端子支持基部４２Ｊの側面に掛けられ、その一端が第１０端子２４Ｊに電気的に接続されている。
【００５７】
また、第三の２次巻線Ｎｓ３は外方筒状部３１の第２セクション３１ｃ（図５）に巻回されており、当該巻回された部分から一端側が引出され、外方筒状部３１の軸方向における一端側から数えて１枚目の外方仕切壁３２Ａの第１外側引出し切欠き３２Ａａと、外方フランジ部３５の一端側フランジ第３切欠き３５Ａｃとを通り、第１０導線掛け柱部４４Ｊに掛けられ、第１１端子２４Ｋを支持する端子支持基部４２Ｋの側面に掛けられ、その一端が第１１端子２４Ｋに電気的に接続されている。また、当該巻回された部分から他端側が引出され、外方筒状部３１の軸方向における一端側から数えて１枚目の外方仕切壁３２Ａの第１外側引出し切欠き３２Ａａと、外方フランジ部３５の一端側フランジ第３切欠き３５Ａｃとを通り、第１１導線掛け柱部４４Ｋに掛けられ、第１２端子２４Ｌを支持する端子支持基部４２Ｌの側面に掛けられ、その一端が第１２端子２４Ｌに電気的に接続されている。
【００５８】
また、第四の２次巻線Ｎｓ４は外方筒状部３１の第１セクション３１ｂ（図５）に巻回されており、当該巻回された部分から一端側が引出され、外方フランジ部３５の一端側フランジ第２切欠き３５Ａｂを通り、第１９導線掛け柱部４４Ｓに掛けられ、第１２導線掛け柱部４４Ｌに掛けられ、第１３端子２４Ｍを支持する端子支持基部４２Ｍの側面に掛けられ、その一端が第１３端子２４Ｍに電気的に接続されている。また、当該巻回された部分から他端側が引出され、外方フランジ部３５の一端側フランジ第２切欠き３５Ａｂを通り、第１９導線掛け柱部４４Ｓに掛けられ、第１４端子２４Ｎを支持する端子支持基部４２Ｎの側面に掛けられ、その他端が第１４端子２４Ｎに電気的に接続されている。
【００５９】
また、第五の２次巻線Ｎｓ５は外方筒状部３１の第４セクション３１ｅ（図５）に巻回されており、当該巻回された部分から一端側が引出され、外方筒状部３１の軸方向における一端側から数えて４枚目の外方仕切壁３２Ｄの第６外側引出し切欠き３２Ｄａと、５枚目の外方仕切壁３２Ｅの第８外側引出し切欠き３２Ｅａと、６枚目の外方仕切壁３２Ｆの第１１外側引出し切欠き３２Ｆａと、外方フランジ部３６の他端側フランジ第１切欠き３６Ａａとを通り、第５導線掛け柱部４４Ｅに掛けられ、第１導線掛け柱部４４Ａに掛けられ、第１端子２４Ａを支持する端子支持基部４２Ａの側面に掛けられ、その一端が第１端子２４Ａに電気的に接続されている。また、当該巻回された部分から他端側が引出され、外方筒状部３１の軸方向における一端側から数えて４枚目の外方仕切壁３２Ｄの第６外側引出し切欠き３２Ｄａと、５枚目の外方仕切壁３２Ｅの第８外側引出し切欠き３２Ｅａと、６枚目の外方仕切壁３２Ｆの第１１外側引出し切欠き３２Ｆａと、外方フランジ部３６の他端側フランジ第１切欠き３６Ａａとを通り、第５導線掛け柱部４４Ｅに掛けられ、第３端子２４Ｃを支持する端子支持基部４２Ｃが設けられている基端部の部分の角部に掛けられ、第２端子２４Ｂを支持する端子支持基部４２Ｂの側面に掛けられ、その一端が第２端子２４Ｂに電気的に接続されている。
【００６０】
また、第六の２次巻線Ｎｓ６は外方筒状部３１の第６セクション３１ｇ（図５）に巻回されており、当該巻回された部分から一端側が引出され、外方筒状部３１の軸方向における一端側から数えて６枚目の外方仕切壁３２Ｆの第６外側引出し切欠き３２Ｄａと、５枚目の仕切壁の第８外側引出し切欠き３２Ｅａと、６枚目の仕切壁の第１３外側引出し切欠き３２Ｆｃと、外方フランジ部３６の他端側フランジ第４切欠き３６Ａｄとを通り、第７導線掛け柱部４４Ｇに掛けられ、第６端子２４Ｆを支持する端子支持基部４２Ｆが設けられている基端部の部分の角部に掛けられ、第７端子２４Ｇを支持する端子支持基部４２Ｇの側面に掛けられ、その一端が第７端子２４Ｇに電気的に接続されている。また、当該巻回された部分から他端側が引出され、外方筒状部３１の軸方向における一端側から数えて６枚目の仕切壁の第６外側引出し切欠き３２Ｄａと、５枚目の外方仕切壁３２Ｅの第８外側引出し切欠き３２Ｅａと、６枚目の仕切壁の第１３外側引出し切欠き３２Ｆｃと、外方フランジ部３６の他端側フランジ第４切欠き３６Ａｄとを通り、第７導線掛け柱部４４Ｇに掛けられ、第４導線掛け柱部４４Ｄに掛けられ、第８端子２４Ｈを支持する端子支持基部４２Ｈの側面に掛けられ、その一端が第８端子２４Ｈに電気的に接続されている。
【００６１】
また、第七の２次巻線Ｎｓ７は外方筒状部３１の第５セクション３１ｆ（図５）に巻回されており、当該巻回された部分から一端側が引出され、外方筒状部３１の軸方向における一端側から数えて５枚目の外方仕切壁３２Ｅの第９外側引出し切欠き３２Ｅｂと、６枚目の外方仕切壁３２Ｆの第１２外側引出し切欠き３２Ｆｂと、外方フランジ部３６の他端側フランジ第２切欠き３６Ａｂとを通り、第２導線掛け柱部４４Ｂに掛けられ、第３端子２４Ｃを支持する端子支持基部４２Ｃの側面に掛けられ、その一端が第３端子２４Ｃに電気的に接続されている。また、当該巻回された部分から他端側が引出され、外方筒状部３１の軸方向における一端側から数えて５枚目の外方仕切壁３２Ｅの第９外側引出し切欠き３２Ｅｂと、６枚目の外方仕切壁３２Ｆの第１２外側引出し切欠き３２Ｆｂと、外方フランジ部３６の他端側フランジ第２切欠き３６Ａｂとを通り、第４端子２４Ｄを支持する端子支持基部４２Ｄの側面に掛けられ、その他端が第４端子２４Ｄに電気的に接続されている。
【００６２】
また、第八の２次巻線Ｎｓ８は外方筒状部３１の第７セクション３１ｈ（図５）に巻回されており、当該巻回された部分から一端側が引出され、外方フランジ部３６の他端側フランジ第３切欠き３６Ａｃを通り、第５端子２４Ｅを支持する端子支持基部４２Ｅの側面に掛けられ、その一端が第５端子２４Ｅに電気的に接続されている。また、当該巻回された部分から他端側が引出され、外方フランジ部３６の他端側フランジ第３切欠き３６Ａｃを通り、第３導線掛け柱部４４Ｃに掛けられ、第６端子２４Ｆを支持する端子支持基部４２Ｆの側面に掛けられ、その一端が第６端子２４Ｆに電気的に接続されている。以上のように各２次巻線は、互いに別個独立した出力を有する構成となっている。
【００６３】
上述のようにボビン２０は内方筒状部２１と外方筒状部３１とを備えているため、内方筒状部２１に巻回された導線５０と外方筒状部３１に巻回された導線５０とを絶縁するための絶縁シートを用いずに済み、また、外方仕切壁３２Ａ〜３２Ｆにより複数のセクションに仕切られているため、略円筒形状部への導線５０の自動巻きを可能とすることができる。また、二重のボビン構造とすることができ、磁気結合を高くすることができる。
【００６４】
また、端子台４０は内方筒状部２１にのみ設けられ、全ての導線５０の一端又は他端は端子台４０の複数の端子金具２４にそれぞれ電気的に接続されているため、導線５０を自動的に略円筒形状部に巻回するための図示せぬ巻線機のボビン支持部を、略円筒形状部の内周面により画成される空間３１ａに挿入してボビン２０を保持した状態を維持したまま、１次巻線等を巻回し、外方筒状部３１を装着し、２次巻線を巻回することができる。このため、巻線機へのボビン２０の取り付け作業を１度で済ますことができる。
【００６５】
以上のような構成のトランス１は、以下のような工程を経て製造される。先ず、図１１に示されるように、内方筒状部２１の各セクションに導線５０を巻回する。具体的には、先ず、図示せぬ巻線機のボビン支持部を内方筒状部２１の内周面により画成される空間３１ａ（図３（ｂ））に挿入して内方筒状部２１を保持する。この保持は、全ての導線５０を巻回する間中引続き行われ、途中で図示せぬ巻線機のボビン支持部から内方筒状部２１が取り外されることはない。
【００６６】
次に第二の１次巻線Ｎｐ２を内方筒状部２１の第１セクション２１ｂに巻回し、その一端を第１５端子２４Ｏに電気的に接続するための仮固定をし、他端を第１６端子２４Ｐに電気的に接続するための仮固定をする。ここで、第１５端子２４Ｏ〜第２０端子２４Ｔは、導線５０の一端及び他端の電気的接続のために、予め図１１に示されるように、内方筒状部２１の軸方向における延出端部を実装面側（図１１の上方）へ直角に折り曲げておく。
【００６７】
第二の１次巻線Ｎｐ２の一端、他端の第１５端子２４Ｏ、第１６端子２４Ｐへの電気的な接続のための仮固定は、以下のようにして行う。第１７端子２４Ｑ〜第２０端子２４Ｔへの導線５０の一端、他端の電気的な接続のための仮固定も、この第二の１次巻線Ｎｐ２の一端、他端の第１５端子２４Ｏ、第１６端子２４Ｐへの電気的な接続のための仮固定と同様にして行う。
【００６８】
先ず、先端部が折曲されている第１５端子２４Ｏへ第二の１次巻線Ｎｐ２の一端部を導く。そして、第二の１次巻線Ｎｐ２の一端部を第１５端子２４Ｏの先端部に絡げて仮固定して、第１５端子２４Ｏに沿わせて第二の１次巻線Ｎｐ２の一端部を配置し、図示せぬ治具を使用して第１５端子２４Ｏの折曲されている先端部に対する基端部に第二の１次巻線Ｎｐ２の一端部近傍部分を仮固定する。
【００６９】
同様に、先端部が折曲されている第１６端子２４Ｐへ第二の１次巻線Ｎｐ２の他端部を導く。そして、第二の１次巻線Ｎｐ２の他端部を第１６端子２４Ｐの先端部に絡げて仮固定して、第１６端子２４Ｐに沿わせて第二の１次巻線Ｎｐ２の他端部を配置し、図示せぬ治具を使用して第１６端子２４Ｐの折曲されている先端部に対する基端部に第二の１次巻線Ｎｐ２の他端部近傍部分を仮固定する。以上が仮固定を行う方法の詳細である。
【００７０】
次に、ドライブ巻線Ｎｓ１を内方筒状部２１の第２セクション２１ｃに巻回し、その一端を第１７端子２４Ｑに電気的に接続するための仮固定をし、他端を第２０端子２４Ｔに電気的に接続するための仮固定をする。次に、第一の１次巻線Ｎｐ１を内方筒状部２１の第３セクション２１ｄに巻回し、その一端を第１５端子２４Ｏに電気的に接続するための仮固定をし、他端を第１７端子２４Ｑに電気的に接続するための仮固定をする。次に、ドライブ巻線Ｎｓ１´を内方筒状部２１の第４セクション２１ｅに巻回し、その一端を第１９端子２４Ｓに電気的に接続するための仮固定をし、他端を第２０端子２４Ｔに電気的に接続するための仮固定をする。次に、第三の１次巻線Ｎｐ３を内方筒状部２１の第５セクション２１ｆに巻回し、その一端を第１５端子２４Ｏに電気的に接続するための仮固定をし、他端を第１６端子２４Ｐに電気的に接続するための仮固定をする。
【００７１】
次に、図１２に示されるように、基板側外方筒状分割部３１−２、反基板側外方筒状分割部３１−１を組合せて外方筒状部３１で内方筒状部２１を外装する。次に、図１３、図１４に示されるように、外方筒状部３１の各セクションに導線５０を巻回する。具体的には、先ず第四の２次巻線Ｎｓ４を外方筒状部３１の第１セクション３１ｂに巻回し、その一端を第１３端子２４Ｍに電気的に接続するための仮固定をし、他端を第４２端子に電気的に接続するための仮固定をする。
【００７２】
ここで、前述の第二の１次巻線Ｎｐ２、ドライブ巻線Ｎｓ１、第一の１次巻線Ｎｐ１、ドライブ巻線Ｎｓ１´、第三の１次巻線Ｎｐ３の仮固定は、予め図１１に示されるように、内方筒状部２１の軸方向における延出端部を実装面側へ直角に折り曲げられた部分を利用して行ったが、第四の２次巻線Ｎｓ４、第三の２次巻線Ｎｓ３、第二の２次巻線Ｎｓ２、第八の２次巻線Ｎｓ８、第六の２次巻線Ｎｓ６、第七の２次巻線Ｎｓ７、第五の２次巻線Ｎｓ５の仮固定については、直角に折り曲げられた部分を利用せずに行う点のみが異なり、他の点については同様に行うため説明を省略する。
【００７３】
次に、第三の２次巻線Ｎｓ３を外方筒状部３１の第２セクション３１ｃに巻回し、その一端を第１１端子２４Ｋに電気的に接続するための仮固定をし、他端を第１２端子２４Ｌに電気的に接続するための仮固定をする。次に、第二の２次巻線Ｎｓ２を外方筒状部３１の第３セクション３１ｄに巻回し、その一端を第９端子２４Ｉに電気的に接続するための仮固定をし、他端を第１０端子２４Ｊに電気的に接続するための仮固定をする。
【００７４】
次に第八の２次巻線Ｎｓ８を外方筒状部３１の第７セクション３１ｈに巻回し、その一端を第５端子２４Ｅに電気的に接続するために仮固定をし、他端を第６端子２４Ｆに電気的に接続するための仮固定をする。次に、第六の２次巻線Ｎｓ６を外方筒状部３１の第６セクション３１ｇに巻回し、その一端を第７端子２４Ｇに電気的に接続するために仮固定をし、他端を第８端子２４Ｈに電気的に接続するための仮固定をする。次に、第七の２次巻線Ｎｓ７を外方筒状部３１の第５セクション３１ｆに巻回し、その一端を第３端子２４Ｃに電気的に接続するたれの仮固定をし、他端を第４端子２４Ｄに電気的に接続するための仮固定をする。次に、第五の２次巻線Ｎｓ５を外方筒状部３１の第４セクション３１ｅに巻回し、その一端を第１端子２４Ａに電気的に接続するための仮固定をし、他端を第２端子２４Ｂに電気的に接続するための仮固定をする。
【００７５】
次に、導線５０が巻回された外方筒状部３１の周囲に絶縁テープ９３を巻回し、図１５に示されるように、その上から更に、第四の１次巻線Ｎｓ４を巻回し、その一端を第１５端子２４Ｏに電気的に接続するための仮固定をし、他端を第１７端子２４Ｑに電気的に接続するための仮固定をする。次に更に、その上に絶縁テープ９４を巻回する。
【００７６】
前述のように、２次巻線は外方筒状部３１の周方向における外方筒状部３１の周面上の所定位置において端子台４０の方向へ引出され、外方筒状部３１の半径方向における外方仕切壁３２Ａ〜３２Ｆの突出高さの最大値は所定位置において最も大きく、所定位置における外方仕切壁３２Ａ〜３２Ｆの部分には、２次巻線をそれぞれ端子台４０の方向へ引出すための第１外側引出し切欠き３２Ａａ〜第１３外側引出し切欠き３２Ｆｃが外方筒状部３１の半径方向内方へ向けて形成され、上述のように導線５０は巻回された部分から一端側、他端側が引き出されるため、１次巻線、ドライブ巻線、２次巻線は、第１外側引出し切欠き３２Ａａ〜第１３外側引出し切欠き３２Ｆｃ内で外方筒状部３１の半径方向において異なる位置関係をなすように配置させることができる。このため、各導線５０の引出し部分同士の絶縁距離を確保することができる。
【００７７】
次に、第１５端子２４Ｏの折曲されている先端部に対する基端部側で、第１５端子２４Ｏの折曲されている先端部と第二の１次巻線Ｎｐ２の一端部とを束ねるようにして別途用意した細線により第１５端子２４Ｏの折曲されている先端部の長手方向に沿って複数ターン巻き上げ、第１５端子２４Ｏの折曲されている先端部に第二の１次巻線Ｎｐ２の一端部を固定する細線巻付部を形成する。そして、細線巻付部よりも第１５端子２４Ｏの延出端側において、第１５端子２４Ｏと第二の１次巻線Ｎｐ２の一端部とを、これらの軸方向に垂直をなす面で切断して、第１５端子２４Ｏに仕上げるとともに端面が形成された第二の１次巻線Ｎｐ２の一端とする。この切断により第１５端子２４Ｏの先端部の端面は第二の１次巻線Ｎｐ２の一端の端面と面一になる。これと同様の工程を第１６端子２４Ｐ〜第２０端子２４Ｔについて行う。
【００７８】
次に、第１端子２４Ａ、第２端子２４Ｂ、・・・、第２０端子２４Ｔをハンダ槽に沈めてハンダ付を行う。このハンダ付によりハンダが細線巻付部を覆うと共に端子金具２４と導線５０端部とに跨るハンダフィレットが形成される。このようにして形成されたハンダフィレットは、第１５端子２４Ｏ〜第２０端子２４Ｔにおいてはハンダが、導線５０端部の端面と端子金具２４の先端部の端面とに跨っている。このハンダフィレットによって、端子金具２４と導線５０とが継線される。
【００７９】
次に、略Ｌ字状をなしている端子金具２４をフォーミングにより略コの字形状とし、図１８に示されるように、コア１０を装着し、図１９、図２０に示されるように、実装面側ケース９１、反実装面側ケース９２をそれぞれ装着することによりトランス１が製造される。
【００８０】
本発明のコイル部品は、上述した実施の形態に限定されず、特許請求の範囲に記載した範囲で種々の変形や改良が可能である。例えば、図２１に示されるように、内方筒状部１２１の軸方向における両端のセクション１２１ｂ、１２１ｆの底面を規定する内方筒状部１２１の周面を、他のセクションを画成する内方筒状部１２１の周面よりも半径方向外方の位置として一段高くして、内方筒状部１２１の半径方向において、外方筒状部１３１のセクション１３１ｂ〜１３１ｇの底面を規定する外方筒状部１３１の周面と面一となる高さとしてもよい。
【００８１】
このようにすることで、外方筒状部１３１の軸方向において外方フランジ部１３５、１３６を介して、外方筒状部１３１のセクション１３１ｂ、１３１ｇに巻回された２次巻線と、内方筒状部１２１のセクション１２１ｂ、１２１ｆに巻回された１次巻線とを対向配置させることができる。即ち、トランスを外方筒状部１３１の軸心を含む断面で見たときに、外方筒状部１３１のセクション１３１ｂ〜１３１ｇに巻回された２次巻線を、外方筒状部１３１の軸方向両側と半径方向内方及び外方から取り囲むような配置とすることができ、１次巻線と２次巻線との磁気結合をより高めることができる。外方フランジ部１３５、１３６は第２仕切板に相当する。
【００８２】
また、導線５０と端子金具２４との電気的な接続ははんだ付けにより行ったが、これに限定されず、例えば、レーザー溶接等により行ってもよい。
【産業上の利用可能性】
【００８３】
本発明のトランスは、特に１次巻線と、互いに別個独立した出力を有する複数の２次巻線とが同軸的に巻回されるトランスの分野において特に有用である。
【符号の説明】
【００８４】
１                  トランス
１０                コア
２０                ボビン
２１                内側筒状部
２２Ａ〜Ｆ          内方仕切壁
２１ａ              空間
２１ｂ、３１ｂ      第１セクション
２１ｃ、３１ｃ      第２セクション
２１ｄ、３１ｄ      第３セクション
２１ｅ、３１ｅ      第４セクション
３１ｆ              第５セクション
３１ｇ              第６セクション
３１ｈ              第７セクション
２４                端子金具
２２Ａａ、２２Ｂａ、２２Ｃａ、２２Ｄａ、２２Ｅａ      第１内側引出し切欠き
２２Ａｂ、２２Ｂｂ、２２Ｃｂ、２２Ｄｂ                第２内側引出し切欠き
３１                外方筒状部
３１−１Ａ、３１−２Ａ        分割面
３２Ａ、３２Ｂ、３２Ｃ、３２Ｄ、３２Ｅ、３２Ｆ        外方仕切壁
３２Ａａ            第１外側引出し切欠き
３２Ａｂ            第２外側引出し切欠き
３２Ｂａ            第３外側引出し切欠き
３２Ｃａ            第４外側引出し切欠き
３２Ｃｂ            第５外側引出し切欠き
４０                端子台
５０                導線
【図１】
2010238842.tif 000003
【図２】
2010238842.tif 000004
【図３（ａ）】
2010238842.tif 000005
【図３（ｂ）】
2010238842.tif 000006
【図４】
2010238842.tif 000007
【図５】
2010238842.tif 000008
【図６】
2010238842.tif 000009
【図７】
2010238842.tif 000010
【図８】
2010238842.tif 000011
【図９】
2010238842.tif 000012
【図１０】
2010238842.tif 000013
【図１１】
2010238842.tif 000014
【図１２】
2010238842.tif 000015
【図１３】
2010238842.tif 000016
【図１４】
2010238842.tif 000017
【図１５】
2010238842.tif 000018
【図１６】
2010238842.tif 000019
【図１７】
2010238842.tif 000020
【図１８】
2010238842.tif 000021
【図１９】
2010238842.tif 000022
【図２０】
2010238842.tif 000023
【図２１】
2010238842.tif 000024